(57)【要約】【課題】特定の装置や分析に対する専門的知識を必要とすることなく、かつ、煩雑な手間をかけることのない、免疫クロマト分析方法を提供する。【解決手段】検体に含まれる被検出物質を免疫反応により発色させ、その発色シグナルを確認することで陰性または陽性を判定する免疫クロマト分析方法であって、前記被検出物質が、前記陰性または陽性を判定すべき第１被検出物質と、前記陰性または陽性の判定の基準となる第２被検出物質とからなり、それぞれの物質を個別に発色させ、前記第１被検出物質および第２被検出物質の発色シグナルが同強度となる前記第１被検出物質の濃度を前記判定の境界に設定し、前記境界に対する前記第１被検出物質の発色シグナルの強度の強弱を確認することにより、前記第１被検出物質の陰性または陽性を判定する免疫クロマト分析方法。【選択図】図１
2015132548.tif 000002
【特許請求の範囲】
【請求項１】
検体に含まれる被検出物質を免疫反応により発色させ、その発色シグナルを確認することで陰性または陽性を判定する免疫クロマト分析方法であって、
前記被検出物質が、前記陰性または陽性を判定すべき第１被検出物質と、前記陰性または陽性の判定の基準となる第２被検出物質とからなり、それぞれの物質を個別に発色させ、
前記第１被検出物質および第２被検出物質の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ことを特徴とする免疫クロマト分析方法。
【請求項２】
前記第１被検出物質と特異的に反応する検出試薬の使用量を調整することにより、前記第１被検出物質および第２被検出物質の夫々の発色シグナルを同強度とすることを特徴とする請求項１に記載の免疫クロマト分析方法。
【請求項３】
検体に含まれる被検出物質を免疫反応により発色させ、その発色シグナルを確認することで陰性または陽性を判定する請求項１または２に記載の方法を実施するための免疫クロマト分析装置であって、
前記被検出物質が、前記陰性または陽性を判定すべき第１被検出物質と、前記陰性または陽性の判定の基準となる第２被検出物質とからなり、それぞれの物質を個別に発色させる手段を有し、
前記第１被検出物質および第２被検出物質の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ように構成したことを特徴とする免疫クロマト分析装置。
【請求項４】
請求項３に記載の免疫クロマト分析装置と、前記第１被検出物質および第２被検出物質の複数の濃度における発色シグナルの強度の度合いを確認できる発色シグナル確認装置と、を少なくとも備えてなる免疫クロマト分析キット。
【請求項５】
前記第１被検出物質および第２被検出物質の複数の濃度における発色シグナルの強度の度合いを確認できる発色シグナル確認装置が色見本であることを特徴とする請求項４に記載の免疫クロマト分析キット。
【発明の詳細な説明】
【技術分野】
【０００１】
本発明は、免疫クロマト分析方法、免疫クロマト分析装置および免疫クロマト分析キットに関する。
【背景技術】
【０００２】
血液、尿などの検体に含まれる種々の成分を測定することは、患者の健康状態を把握する上で臨床上極めて重要であり、従来、その成分に応じて各種の測定方法が採用されている。その一つとして、検体に含まれる被検出物質を免疫反応により発色させ、その発色シグナルを確認する免疫クロマト分析方法が知られている。
【０００３】
一方、世界の糖尿病患者数は、２０１１年で３億６６００万人存在し、２０３０年は５億５２００万人（成人人口の約１０％）にも及ぶと予測されている。またいわゆる糖尿病予備軍もそれと同等以上であると考えられる。
【０００４】
従来、糖尿病の診断は血糖値を測定することによりなされていたが、近年では、血中のヘモグロビンに糖が結合した糖化ヘモグロビン（グリコヘモグロビン）、とくにヘモグロビンβ鎖のＮ末端バリン残基が糖化されたヘモグロビンＡ１ｃ（以下、「ＨｂＡ１ｃ」と言う）の血中濃度が、過去１〜２ヶ月の平均血糖値を反映することから、糖尿病の診断や糖尿病の経過観察に適した指標として使用されつつある（例えば特許文献１参照）。
【０００５】
しかし従来においてＨｂＡ１ｃの測定は、ＨＰＬＣ法、キャピラリー電気泳動法、酵素法、免疫学的測定法等により実施されるが、これらの方法は特定の装置や分析に対する専門的知識を必要とするために、小規模の病院や家庭等ではＨｂＡ１ｃの値を簡単に知ることができない、という問題点があった。
【０００６】
また、ＨｂＡ１ｃの血中濃度は、血中成分に個人差が存在するため、糖化されていないヘモグロビン（以下、「ＨｂＡ０」と言う）を同時に測定し、ＨｂＡ１ｃとＨｂＡ０の比率を把握することで、糖尿病の陰性または陽性を判定していたが、この場合、ＨｂＡ１ｃとＨｂＡ０を個別に上記手段によって測定する必要があるため、測定の煩雑さがさらに悪化するという問題点も存在する。
【０００７】
またＨｂＡ１ｃ以外の成分、例えば、ＰＳＡ（Ｆｒｅｅ−ＰＳＡ／Ｔｏｔａｌ−ＰＳＡ比）、動脈硬化指数であるコレステロール（ＬＤＬコレステロール／ＨＤＬコレステロール比）、または肝機能障害若しくはネフローゼ症候群等のマーカー（アルブミン／グロブリン比）等も、患者の健康状態を把握する上で重要な因子である。しかし、これらの成分においても、前記のＨｂＡ１ｃと同じ問題点が存在する。すなわち、当該成分の測定は、特定の装置や分析に対する専門的知識を必要とすること、また、当該成分の陰性または陽性を正確に確認すべく、ＨｂＡ０のような参照物質を同時に測定する必要があり、小規模の病院や家庭等では事実上不可能であるという課題がある。
【先行技術文献】
【特許文献】
【０００８】
【特許文献１】特開２０１２−２５１７８９号公報
【発明の概要】
【発明が解決しようとする課題】
【０００９】
そこで本発明の目的は、上述の従来の課題を解決し、特定の装置や分析に対する専門的知識を必要とすることなく、かつ、煩雑な手間をかけることなく、小規模の病院や家庭等であっても血液、尿等の様々な検体に含まれる種々の成分を測定することのできる、免疫クロマト分析方法、免疫クロマト分析装置および免疫クロマト分析キットを提供することにある。
【課題を解決するための手段】
【００１０】
本発明者は鋭意研究を重ねた結果、陰性または陽性を判定すべき第１被検出物質と、その判定の基準となる第２被検出物質とを免疫反応により個別に発色させ、両方の被検出物質の発色シグナルが同強度となる濃度を第１被検出物質の判定の境界に設定することにより、上記のような従来の課題を解決できることを見出し、本発明を完成することができた。
【００１１】
すなわち本発明は、以下の通りである。
１．検体に含まれる被検出物質を免疫反応により発色させ、その発色シグナルを確認することで陰性または陽性を判定する免疫クロマト分析方法であって、
前記被検出物質が、前記陰性または陽性を判定すべき第１被検出物質と、前記陰性または陽性の判定の基準となる第２被検出物質とからなり、それぞれの物質を個別に発色させ、
前記第１被検出物質および第２被検出物質の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ことを特徴とする免疫クロマト分析方法。
２．前記第１被検出物質と特異的に反応する検出試薬の使用量を調整することにより、前記第１被検出物質および第２被検出物質の夫々の発色シグナルを同強度とすることを特徴とする前記１に記載の免疫クロマト分析方法。
３．検体に含まれる被検出物質を免疫反応により発色させ、その発色シグナルを確認することで陰性または陽性を判定する前記１または２に記載の方法を実施するための免疫クロマト分析装置であって、
前記被検出物質が、前記陰性または陽性を判定すべき第１被検出物質と、前記陰性または陽性の判定の基準となる第２被検出物質とからなり、それぞれの物質を個別に発色させる手段を有し、
前記第１被検出物質および第２被検出物質の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ように構成したことを特徴とする免疫クロマト分析装置。
４．前記３に記載の免疫クロマト分析装置と、前記第１被検出物質および第２被検出物質の複数の濃度における発色シグナルの強度の度合いを確認できる発色シグナル確認装置と、を少なくとも備えてなる免疫クロマト分析キット。
５．前記第１被検出物質および第２被検出物質の複数の濃度における発色シグナルの強度の度合いを確認できる発色シグナル確認装置が色見本であることを特徴とする前記４に記載の免疫クロマト分析キット。
【発明の効果】
【００１２】
本発明の免疫クロマト分析方法および装置によれば、陰性または陽性を判定すべき第１被検出物質と、その判定の基準となる第２被検出物質とを免疫反応により個別に発色させ、両方の被検出物質の発色シグナルが同強度となる濃度を第１被検出物質の判定の境界に設定したので、特定の装置や分析に対する専門的知識を必要とすることなく、かつ、煩雑な手間をかけることなく、前記第１被検出物質の陰性または陽性を判定することができる。したがって、小規模の病院や家庭等であっても血液、尿等の様々な検体に含まれる種々の成分を測定することが可能となった。
【００１３】
また本発明の免疫クロマト分析キットによれば、第１被検出物質の発色シグナルの強弱を、確認装置の発色シグナルと比較することができるので、第１被検出物質の陰性または陽性の判定を客観的に行うことができる。
【図面の簡単な説明】
【００１４】
【図１】本発明の免疫クロマト分析方法および装置を利用した免疫クロマト分析キットを説明するための概略図であり、（ａ）はキットの断面図、（ｂ）は平面図である。
【図２】（ａ）〜（ｄ）は、本発明の免疫クロマト分析方法および装置を利用した免疫クロマト分析キットにおいて複数準備した発色シグナル確認装置を説明するための図である。
【発明を実施するための形態】
【００１５】
以下、本発明をさらに詳細に説明する。
【００１６】
本発明に用いられる検体は、例えば、血液、血漿、血清のような血液試料、尿、唾液、髄液、汗、涙、羊水、乳頭分泌液、鼻汁、痰、鼻腔又は咽頭拭い液、皮膚からの浸出液、組織や細胞及び糞便からの抽出物等が挙げられる。
【００１７】
以下、本発明の陰性または陽性を判定すべき被検出物質としてＨｂＡ１ｃを、陰性または陽性の判定の基準となる第２被検出物質としてＨｂＡ０を例として説明するが、本発明は下記例に制限されるものではなく、例えば、上記被検出物質以外にも、ＰＳＡ（Ｆｒｅｅ−ＰＳＡ／Ｔｏｔａｌ−ＰＳＡ比）、動脈硬化指数であるコレステロール（ＬＤＬコレステロール／ＨＤＬコレステロール比）、または肝機能障害若しくはネフローゼ症候群等のマーカー（アルブミン／グロブリン比）等を被検出物質として分析することができる。すなわち、第２の被検出物質に対する第１の被検出物質の濃度または第１の被検出物質と第２の被検出物質との総量に対する濃度が、特定の濃度を境界として陰性または陽性と判定されるものであれば本発明を適用できる。
【００１８】
まず本発明では、陰性または陽性を判定すべきＨｂＡ１ｃと、陰性または陽性の判定の基準となるＨｂＡ０とを免疫反応により個別に発色させる。該発色のための方法は公知であり、例えば特許文献１に開示されている。具体的には、以下の各ステップにより行うことができる。まず、患者から血液を採取する。血液の採取場所としては、例えば、指、歯茎、腕静脈および耳等が挙げられる。
【００１９】
採取した血液中のＨｂＡ１ｃのエピトープをヘモグロビンタンパク質の表面に露出させる。その手段としては、例えば、ヘモグロビンβ鎖Ｎ末端をタンパク質表面に露出させる成分（Ｎ末端露出剤）を使用してヘモグロビンを処理する方法、ヘモグロビンをラテックス粒子に吸着させてヘモグロビンを処理する方法等が挙げられる。
【００２０】
Ｎ末端露出剤を使用する露出方法としては、例えば、グアニジン、チオシアン酸、あるいはチオシアン酸塩と血液とを混合する方法、各種界面活性剤と血液とを混合する方法、これらのＮ末端露出剤を併用して血液と混合する方法等がある。界面活性剤としては、例えば、非イオン性界面活性剤としてスクロースモノラウレート等が挙げられ；アニオン性界面活性剤としては、例えば、ラウリル硫酸ナトリウム等のアルキル硫酸塩、ポリオキシエチレンラウリルエーテル硫酸ナトリウム等のポリオキシエチレンアルキルエーテル硫酸塩、ドデシルベンゼンスルホン酸ナトリウム等のアルキルベンゼンスルホン酸塩、ラウロイルメチルアラニン、Ｎ−ラウロイルサルコシンナトリウム塩等のアシルアミノ酸塩、ジアルキルスルホコハク酸ナトリウム、βナフタレンスルホン酸ホルマリン縮合物ナトリウム塩、特殊ポリカルボン酸型高分子界面活性剤等が挙げられ；カチオン性界面活性剤としては、例えば、高級アルキルアミン類及び第４級アンモニウム塩が挙げられ、第４級アンモニウム塩として、モノ長鎖アルキルトリメチルアンモニウム塩、ジ長鎖アルキルジメチルアンモニウム塩、塩化ベンザルコニウム、塩化ベンゼトニウム、塩化セチルピリジニウム、塩化デカリニウム等が挙げられ；両性界面活性剤としては、例えば、スルホベタイン１２〜１６、ラウリルベタイン、２−アルキル−２−カルボキシメチル−Ｎ−ヒドロキシエチルイミダゾリウムベタイン、ラウリルジメチルアミンオキサイド、ラウリン酸アミドプロピルジメチルアミノ酢酸ベタイン等が挙げられる。これらの界面活性剤は２種以上を併用してもよい。
【００２１】
Ｎ末端露出剤は、水溶液として使用するのが好ましく、Ｎ末端露出剤の濃度は、例えば０．０１〜１０質量％である。また該水溶液には、アジ化ナトリウムのような防腐剤、ＥＤＴＡのようなキレート剤、ＮａＣｌまたはＭｇＣｌ２のような金属イオンを含んでいてもよいし、免疫クロマト分析時の非特異反応抑制を目的としてＢＳＡまたはカゼイン等のタンパク質等を含んでいてもよい。
【００２２】
また前記水溶液のｐＨは、４．０〜９．０、さらに５．０〜９．０、さらに６．０〜８．０が好ましい。該水溶液を用いて血液を処理するには、血液試料に該水溶液を添加し、攪拌すればよい。温度は、１℃〜５０℃、さらに１０℃〜４０℃、さらに１５℃〜２５℃が好ましい。処理時間は１０秒間〜３０分間、さらに３０秒間から５分間が好ましい。
【００２３】
このようにして、血液試料中のＨｂＡ１ｃは、糖化部位が効率良くヘモグロビンタンパク質表面に露出された前処理試料が得られる。
【００２４】
続いて、上記工程で調製された前処理試料中のヘモグロビンに対して特異的に結合し得る、標識物質で標識された抗ヘモグロビン抗体を反応させる。このような抗体としては、ポリクローナル抗体やモノクローナル抗体等が挙げられる。モノクローナル抗体およびポリクローナル抗体若しくはそのフラグメントは、公知であり、入手可能であり、公知の方法により調製することができる。
【００２５】
抗体産生動物種としては、例えば、ヒト、マウス、ラット、ウサギ、ヤギ等が挙げられる。免疫グロブリンとしては、ＩｇＧ、ＩｇＭ、ＩｇＡ、ＩｇＥまたはＩｇＤのいずれでもよい。モノクローナル抗体は、常法に従って、抗原で免疫したマウスの脾臓細胞と骨隋腫細胞をハイブリッドさせ、目的とする抗体を産生するハイブリドーマを選択し、このハイブリドーマから産生されてくるモノクローナル抗体を収得する（例えば、ケーラーとミルスタインの技法［Ｎａｔｕｒｅ  ２５６（１９７５）４９５−４９７］を参照）。ポリクローナル抗体は、常法により、抗原を産生動物（例えば、ヒト、マウス、ラット、ウサギ、ヤギおよびウマ等）に免疫して得た抗血清中から目的とする抗体を分離することにより得られる。
【００２６】
標識物質としては、視覚的に着色を確認できる有色物質が好ましく、当業界で公知のものを適宜採用できる。例えば、金属コロイド粒子、非金属コロイド粒子、着色ラテックスおよび酵素標識等が挙げられるが、時間が経過しても退色し難い金属コロイド粒子が標識の安定性の観点からとくに好ましい。
【００２７】
金属コロイド粒子としては、例えば、金、白金、銅、銀、パラジウムコロイドの他、それらを混合した粒子等が挙げられる。特に金コロイド粒子は適当な粒径において赤色を呈する点で好ましい。金属コロイド粒子の平均粒径は例えば１〜５００ｎｍ、強い色調が得られる点で１０ｎｍ〜１５０ｎｍ、より好ましくは２０〜１００ｎｍの範囲内である。
【００２８】
非金属コロイド粒子としては、例えば、セレニウムコロイド等が挙げられる。金属コロイド及び非金属コロイド粒子は、常法により調製することができ、このとき、粒径は所望の色調を呈するよう調節される。また、市販品を利用することもできる。
【００２９】
着色ラテックスとしては、例えば、ポリスチレン等の高分子重合体の粒子が赤や青色を呈する着色剤により着色したものが挙げられ、常法により調製することができる。酵素標識としては、例えば、ペルオキシダーゼ、アルカリフォスファターゼ、グルコースオキシダーゼおよびガラクトシダーゼ等が挙げられる。酵素標識を使用する場合、当該酵素に対する基質および必要に応じて発色試薬を作用させ、その反応により生じる発色を検出する。
【００３０】
なお、標識物質で標識された抗体の調製は、公知の手段にしたがって行うことができる。例えば、金コロイド粒子を抗体に担持する方法としては、物理吸着または化学結合などの公知の方法が挙げられる。具体的には、例えば、金粒子がコロイド状に分散した溶液に抗体を加えて物理吸着させた後、牛血清アルブミン溶液などのブロッキングタンパクを添加して抗体が未結合である粒子表面をブロッキングすることにより調製することができる。
【００３１】
また、抗原抗体反応は、公知のサンドイッチ法、競合法や、それらを組み合わせた方法を採用することができる。
【００３２】
続いて、ＨｂＡ１ｃおよびＨｂＡ０由来の発色シグナルを確認するために、両者を例えば抗ＨｂＡ１ｃ抗体および抗ＨｂＡ０抗体にそれぞれ固定化する。これにより、血中におけるＨｂＡ１ｃの濃度が、陰性または陽性であるのかが判定可能となる。なお、抗ＨｂＡ１ｃ抗体および抗ＨｂＡ０抗体は、前述のようなモノクローナル抗体、ポリクローナル抗体のいずれであってもよい。
【００３３】
血中成分には個人差が存在し、単にＨｂＡ１ｃを発色させてその強度を確認しただけでは、該判定は困難である。そこで、ＨｂＡ１ｃとＨｂＡ０を同時に発色させ、ＨｂＡ１ｃとＨｂＡ０の比率を把握する必要がある。例えば、血中のＨｂＡ１ｃとＨｂＡ０の総量に対しＨｂＡ１ｃが６．０％を超える場合に陽性であると判定する場合、このＨｂＡ１ｃが６．０％であるときの発色シグナルが、９４．０％を占めるＨｂＡ０の発色シグナルと同強度となるように、両方の発色シグナルの強度を調整する。
【００３４】
この調整方法としては、第１および第２の被検出物質の夫々または両方に特異的に反応し捕捉するための標識物質により標識される捕捉物質の量をコントロールする方法、第１および第２の被検出物質夫々または両方に特異的に反応し捕捉するためのメンブレン中の検出ラインに保持させる捕捉物質の量をコントロールする方法、第１および第２の被検出物質の夫々または両方に特異的に反応し捕捉するための標識された捕捉物質の量をコントロールする方法、またはそれらの２以上の方法を組み合わせる方法等が挙げられる。
【００３５】
これらの中でも、第１および第２の被検出物質の夫々または両方に特異的に反応し捕捉するためのメンブレン中の検出ラインに保持させる捕捉物質の量をコントロールする方法、第１および第２の被検出物質の夫々または両方に特異的に反応し捕捉するための標識された捕捉物質の量をコントロールする方法、またはそれら方法を組み合わせた方法が好ましい。
【００３６】
ここで第１および第２の被検出物質の両方に特異的に反応するとは、第１および第２の両方の被検出物質に対して強い反応性を示し、第１および第２の被検出物質以外の物質に対しては反応しない若しくは弱い反応性を示すため、両方の被検出物質とそれ以外の物質とを区別し、選択的に両方の被検出物質と反応するものである。
【００３７】
第１および第２の被検出物質の両方に特異的に反応する捕捉物質を用いる場合は、同一の捕捉物質を用いても、第１および第２の被検出物質に対し反応性の強さの異なる２以上の捕捉物質を用いてもよいが、後者の２以上の捕捉物質を用いる方がシグナル強度を調整が容易になることから好ましく用いられる。
【００３８】
実際の分析の際は、ＨｂＡ１ｃとＨｂＡ０の発色シグナルを比較し、ＨｂＡ１ｃの発色シグナルがＨｂＡ０のそれよりも強い場合、ＨｂＡ１ｃが６．０％を超えていることが分かり、陽性と判定される。逆にＨｂＡ１ｃの発色シグナルがＨｂＡ０と同等またはそれよりも弱い場合、ＨｂＡ１ｃが６．０％以下であることが分かり、陰性と判定される。
【００３９】
本発明の免疫クロマト分析方法および装置は、キットとして使用する形態がとくに好ましい。以下、該キットについて説明する。図１は、本発明の免疫クロマト分析方法および装置を利用した免疫クロマト分析キットを説明するための概略図であり、（ａ）はキットの断面図、（ｂ）は平面図である。
【００４０】
図１に示すように、免疫クロマト分析キット１は、プラスチック製粘着シート１１上に、サンプルパッド１２、標識物質で標識された抗ヘモグロビン抗体含有パッド１３、抗体固定化メンブレン１４、吸水パッド１５の順でキットの長手方向に沿ってそれぞれ設けられている。また、抗体固定化メンブレン１４上には、抗ＨｂＡ１ｃ抗体が塗布された抗ＨｂＡ１ｃ抗体塗布部１６、抗ＨｂＡ０抗体が塗布された抗ＨｂＡ０抗体塗布部１７、コントロールとして抗ＩｇＧ抗体が塗布された抗ＩｇＧ抗体塗布部１８がそれぞれ設けられている。
【００４１】
プラスチック製粘着シート１１は、キットの基材をなすものであり、片面に粘着剤を塗布したり、粘着テープを貼り付けることにより片面が粘着面となり、該粘着面上に下記の各構成部位の一部または全部が密着する。プラスチック製粘着シート１１の材質は、試料に対して不透過性、非透湿性となるようなものを適宜選択すればよい。
【００４２】
サンプルパッド１２は、試料が迅速に吸収されるが、保持力は弱く、速やかに抗原抗体反応領域へと試料が移動していくような性質の多孔質シートで構成することができる。多孔質シートとしては、セルロース濾紙、ガラスファイバー濾紙、ポリウレタン、ポリアセテート、酢酸セルロース、ナイロン、綿布等が挙げられる。
【００４３】
抗ヘモグロビン抗体含有パッド１３には、標識物質で標識された抗ヘモグロビン抗体が保持され、その材質としては、グラスファイバー等が挙げられる。
【００４４】
抗体固定化メンブレン１４は、毛細管現象により試料検体を吸収し移動させることができるものであればよく、例えば、ニトロセルロース、酢酸セルロース、ナイロン、ポリエーテルスルホン、ポリビニルアルコール、ポリエステル、ガラスファイバー、ポリオレフィン、セルロース、これらの混合繊維等から構成することができる。
【００４５】
抗体固定化メンブレン１４上に設けられた、抗ＨｂＡ１ｃ抗体塗布部１６、抗ＨｂＡ０抗体塗布部１７、抗ＩｇＧ抗体塗布部１８は、例えばそれぞれの抗体を担持固定できる材料から構成され、該材料としては、例えばニトロセルロース等が挙げられる。
吸水パッド１５は、過剰の試料を迅速に吸収する能力を有する材料が挙げられ、ガラス濾紙等が用いられる。
【００４６】
次に本発明のキットの使用方法について説明する。まず、上記のように血液試料中のＨｂＡ１ｃの糖化部位をヘモグロビンタンパク質表面に露出させた前処理試料を準備し、この前処理試料および展開液をサンプルパッド１２に滴下する。
【００４７】
滴下された前処理試料および展開液は、毛細管現象により抗ヘモグロビン抗体含有パッド１３に到達し、標識物質により標識された抗ヘモグロビン抗体と抗原抗体反応することで、複合体を形成する。該複合体は、続いて抗体固定化メンブレン１４に展開され、抗ＨｂＡ１ｃ抗体塗布部１６に到達し、ＨｂＡ１ｃはそこを通過する間に抗ＨｂＡ１ｃ抗体と反応して固定化される。
【００４８】
ＨｂＡ０および展開液は、抗ＨｂＡ１ｃ抗体塗布部１６を反応せずに通過するが、抗ＨｂＡ０抗体塗布部１７に到達すると、ＨｂＡ０は抗ＨｂＡ０抗体と反応し固定化される。なお、その他のヘモグロビンおよび水分は反応せずに吸水パッド１５まで移動する。このようにして、各塗布部においてＨｂＡ１ｃおよびＨｂＡ０の存在による発色シグナルが確認できる。
【００４９】
これとは別に、本発明のキットでは、発色シグナル確認装置を準備しておく。発色シグナル確認装置は、ＨｂＡ１ｃおよびＨｂＡ０の複数の濃度における発色シグナルの強度の度合いを確認できるものである。
【００５０】
例えば、上記のように血中のＨｂＡ１ｃとＨｂＡ０の総量に対しＨｂＡ１ｃが６．０％を超える場合に陽性であると判定する場合、このＨｂＡ１ｃが６．０％であるときの発色シグナルが、９４．０％を占めるＨｂＡ０の発色シグナルと同強度となるように調整したキットの写真またはカラーコピーを、色見本として前記発色シグナル確認装置として準備しておく。
【００５１】
実際の分析の際は、上記のように前処理試料および展開液をキットにより展開し、ＨｂＡ１ｃとＨｂＡ０の発色シグナルを比較し、ＨｂＡ１ｃの発色シグナルがＨｂＡ０のそれよりも強い場合、ＨｂＡ１ｃが６．０％を超えていることが分かり、陽性と判定する。逆にＨｂＡ１ｃの発色シグナルがＨｂＡ０と同等またはそれよりも弱い場合、ＨｂＡ１ｃが６．０％以下であることが分かり、陰性と判定する。
【００５２】
なおこの場合、ＨｂＡ１ｃの発色シグナルを濃度ごとに示した発色シグナル確認装置を複数準備しておくのが好ましい。
【００５３】
図２は、複数準備した発色シグナル確認装置を説明するための図である。なお図２における黒いバンドは発色シグナルの強弱を表し、黒いバンドが太いほど発色強度が強く、細いほど発色強度が弱いことを意味している。
【００５４】
図２（ｂ）は、ＨｂＡ１ｃが６．０％であるときの発色シグナル１６１（図１の抗ＨｂＡ１ｃ抗体塗布部１６からの発色シグナル）が、９４．０％を占めるＨｂＡ０の発色シグナル１７１（図１の抗ＨｂＡ０抗体塗布部１７からの発色シグナル）と同強度となるように調整したキットの写真またはカラーコピーからなる色見本を示している。
【００５５】
なお、１８１は抗ＩｇＧ抗体塗布部１８からのコントロールの発色シグナルである。さらにキットには、図２（ａ）に示すようなＨｂＡ１ｃが５．５％である色見本、図２（ｃ）に示すようなＨｂＡ１ｃが６．５％である色見本、図２（ｄ）に示すようなＨｂＡ１ｃが７．０％である色見本も同時に備えている。この形態によれば、検体の発色シグナルと各色見本との発色シグナルの度合いを目視で比較することにより、陰性または陽性の判定を客観的に行うことができ、好ましい。
【００５６】
なお、上記の展開液としては、０．０１〜０．２５ｗ／ｖ％の炭素数１０〜３０の炭化水素基を有するスルホン酸塩の陰イオン界面活性剤を含むことが、ＨｂＡ１ｃの糖化部位を露出させつつ発色強度の低下を抑制する点で好ましい。
【実施例】
【００５７】
以下、本発明を実施例および比較例によりさらに説明するが、本発明は下記例に制限されない。
【００５８】
キットの作製
以下の手順で、図１に示すような免疫クロマト分析キット１を作製した。
（１）抗ＨｂＡ１ｃ抗体塗布部１６、抗ＨｂＡ０抗体塗布部１７、抗ＩｇＧ抗体塗布部１８の作製
メンブレンとしてニトロセルロースからなるシート（ミリポア社製、商品名：ＨＦ１２２５０ｍｍ×２５ｍｍ）を用いた。５質量％のスクロースおよび５質量％のイソプロパノールを含む１０ｍＭのリン酸緩衝液（ｐＨ７．４）で抗ＨｂＡ１ｃモノクローナル抗体、抗ＨｂＡ０モノクローナル抗体または抗ＩｇＧモノクローナル抗体を夫々０．６ｇ／ｍｌ、０．１ｍｇ／ｍｌ、１．３ｍｇ／ｍｌ、となるように希釈し、その希釈された溶液１５０μＬを抗体塗布機（ＢｉｏＤｏｔ社製）によりメンブラン上に１ｍｍの幅で別々の場所に塗布し、５０℃で３０分間乾燥させ、室温で一晩乾燥させ、抗体固定化メンブレン１４上に抗ＨｂＡ１ｃ抗体塗布部１６、抗ＨｂＡ０抗体塗布部１７、抗ＩｇＧ抗体塗布部１８をそれぞれ設けた。
【００５９】
（２）標識物質溶液の作製
金コロイド懸濁液（田中貴金属工業社製：平均粒子径４０ｎｍ）０．５ｍＬに、Ｔｒｉｓ緩衝（ｐＨ８．５）でＨｂＡ０よりもＨｂＡ１ｃに強い反応性を示す抗ヘモグロビンモノクローナル抗体−１またはＨｂＡ１ｃよりもＨｂＡ０に強い反応性を示す抗ヘモグロビンモノクローナル抗体−２を夫々０．１ｍｇ／ｍｌとなるように希釈した溶液を０．１ｍＬ加え、室温で１０分間静置し２種の抗ヘモグロビンモノクローナル抗体が夫々担持された金コロイド懸濁液を得た。次いで、その夫々の懸濁液に０．０１質量％のＰＥＧ−ＳＨ（日本油脂株式会社製、商品名：ＳＵＮＢＲＩＧＨＴ  ＭＥ−２００ＳＨ、分子量２００００）を含むＴｒｉｓ緩衝液（ｐＨ８．５）を０．１ｍｌ加え（添加後のＰＥＧ−ＳＨ濃度：０．００１質量％）、室温で１０分間静置した。その後、十分撹拌した後、８０００×ｇで１５分間遠心分離を行い、上清を除去した後、１質量％の牛血清アルブミンを含むリン酸緩衝液（ｐＨ７．４）０．１ｍＬを加え、標識された抗ヘモグロビンモノクローナル抗体−１および抗ヘモグロビンモノクローナル抗体−２の液を夫々得た。標識された抗ヘモグロビンモノクローナル抗体−１の液０．２ｍｌと標識された抗ヘモグロビンモノクローナル抗体−２の液０．０２ｍｌとを混合し、標識物質溶液を作製した。この時、標識抗ヘモグロビンモノクローナル抗体−１および抗ヘモグロビンモノクローナル抗体−２の使用された液中に含有する金の量は、夫々６４μｇ、６．４μｇであった。
【００６０】
（３）免疫クロマトグラフィー用試験片の作製
上記作製した標識物質溶液２２０μｌに１００μｌの２５質量％トレハロース水溶液を含むリン酸緩衝液（ｐＨ９．０）、を加えたものを８ｍｍ×１００ｍｍのグラスファイバーパッド（ミリポア社製）に均一になるように添加した後、真空乾燥機にて乾燥させ、抗ヘモグロビン抗体含有パッド１３を作製した。次に、プラスチック製粘着シート１１上に、上記作製した標識物質で標識された抗ヘモグロビン抗体含有パッド１３、抗体固定化メンブレン１４を貼り合わせ、汎用のサンプルパッド１２、吸水パッド１５をさらに貼り合わせ、裁断機で幅が５ｍｍとなるように裁断し、免疫クロマトグラフィー用試験片とした。
【００６１】
下記表１に記載の処方にて、各成分を攪拌し、展開液（水溶液）を調製した。
【００６２】
【表１】
2015132548.tif 000003
【００６３】
なお表１において、Ｔｒｉｔｏｎ−ＸとはＳＩＧＭＡ社製商品名であり、その成分はオクチルフェノキシポリエトキシエタノールである。
Ｔｗｅｅｎ−２０とは和光純薬社製商品名であり、その成分はモノラウリル酸ポリオキシエチレンソルビタンである。
Ｂｉｃｉｎｅとは同仁化学社製商品名であり、その成分はＮ,Ｎ−ビス（２−ヒドロキシエチル）グリシンである。
Ｍｉｃｒｏｃｉｄｅ  ＩＩＩとはＡＭＲＥＳＣＯ社製商品名であり、その成分は５−クロロ−２−メチル−１,２−チアゾール−３−オンと２−メチル−１,２−チアゾール−３−オンの混合物である。
【００６４】
検体の採取
健康成人男性および糖尿病男性患者それぞれの指先を穿刺することにより、血液を採取し、ラテックス凝集法によりＨｂＡ０及びＨｂＡ１ｃの濃度を測定した夫々の血液試料を、ＨｂＡ１ｃの濃度が、５．５％、６．０％、または７．０％となるように混合し試料とした。
【００６５】
前処理試料の調製
前記血液と下記表２の処方のＮ末端露出剤（水溶液）とを室温で０．５分間攪拌し、室温で２分間静置し前処理試料を得た。なお、Ｎ末端露出剤は、血液に対して１０００容量倍使用した。
【００６６】
【表２】
2015132548.tif 000004
【００６７】
免疫クロマト分析の実施
上記のようにして作製した免疫クロマトグラフィー用試験片のサンプルパッド１２に、前処理試料１０μｌおよび展開液１００μｌを供給し、１０分後の抗ＨｂＡ１ｃ抗体塗布部１６および抗ＨｂＡ０抗体塗布部１７における赤色の発色シグナルを目視で確認した。
【００６８】
発色シグナル確認装置の作製
常法により精製したＨｂＡ１ｃおよびＨｂＡ０を用い、上記表２の処方のＮ末端露出剤と混合し、前処理試料を得た。前処理試料と展開液を、上記と同様に免疫クロマトグラフィー用試験片に展開させた。ＨｂＡ１ｃおよびＨｂＡ０の総量に対するＨｂＡ１ｃの濃度は、５．５％、６．０％、または７．０％の３種類とした。ここで、６．０％のＨｂＡ１ｃの濃度を、陰性または陽性の判定の境界に設定し、第１および第２の被検出物質に対し夫々特異的に反応し捕捉するためのメンブレン中の検出ラインに保持させる捕捉物質の量をコントロールする方法、または第１および第２の被検出物質に対し両方に特異的に反応し捕捉するための捕捉物質を標識した標識物質の使用量をコントロールする方法により、ＨｂＡ１ｃおよびＨｂＡ０の発色シグナルを同強度とした。詳細には次のとおり調製した。
【００６９】
〔第１および第２の被検出物質に対し夫々特異的に反応し捕捉するためのメンブレン中の検出ラインに保持させる捕捉物質の量をコントロールする方法〕
上記の抗ＨｂＡ１ｃ抗体塗布部１６、抗ＨｂＡ０抗体塗布部１７、抗ＩｇＧ抗体塗布部１８の作製において抗ＨｂＡ０抗体の希釈濃度を表３に記載の濃度となるように希釈したこと以外は同様の方法で作製し、抗体固定化メンブレンに用いる第２被険物質の捕捉物質をコントロールした。作製された免疫クロマトグラフィー用試験片へ前処理試料を展開液と共に展開し、１０分後のＨｂＡ１ｃおよびＨｂＡ０の夫々の検出ラインを目視で観察し、他方の検出ラインより発色が弱いものを「弱」、他方より強いものを「強」、両方が同強度のものを「同」とし判定した。判定結果を表３に示す。
【００７０】
【表３】
2015132548.tif 000005
【００７１】
表３に示すように、抗体固定化メンブレンに用いる抗ＨｂＡ０モノクローナル抗体希釈液の濃度が０．１ｍｇ／ｍｌにコントロールされたとき、ＨｂＡ１ｃ濃度が６．０％においてＨｂＡ１ｃおよびＨｂＡ０の検出ラインの発色強度が同強度であった。
【００７２】
〔第１および第２の被検出物質に対し両方に特異的に反応し捕捉するための標識された捕捉物質の量をコントロールする方法〕
上記の標識物質溶液の作製において標識した抗ヘモグロビンモノクローナル抗体−２の液量を表４に記載する量となるようにしたこと以外は同様の方法で作製し、標識された第２被険物質の捕捉物質の量をコントロールした。標識物質作製された免疫クロマトグラフィー用試験片へ前処理試料を展開液と共に展開し、１０分後のＨｂＡ１ｃおよびＨｂＡ０の夫々の検出ラインを目視で観察し、判定を行った。結果を表４に示す。
【００７３】
【表４】
2015132548.tif 000006
【００７４】
表４に示すように、抗ヘモグロビンモノクローナル抗体−２を標識した液量を２０μｌにコントロールされたとき、ＨｂＡ１ｃ濃度が６．０％においてＨｂＡ１ｃおよびＨｂＡ０の検出ラインの発色強度が同強度であった。
【００７５】
また、表３および表４の結果から、６．０％よりもＨｂＡ１ｃの濃度が低い試料の発色シグナルは、ＨｂＡ０の発色シグナルよりも低くなることが確認され、逆に６．０％よりもＨｂＡ１ｃの濃度が高い試料の発色シグナルは、ＨｂＡ０の発色シグナルよりも濃度が高くなるにつれてその強度も高くなることが確認された。得られた各種試験片の写真を撮影し、色見本とし、発色シグナル確認装置を作製した。
【００７６】
上記で得られた健康成人の検体を展開した免疫クロマトグラフィー用試験片と、上記で得られた色見本とを比較観察した結果、健康成人のＨｂＡ１ｃの発色シグナルは、ＨｂＡ０の発色シグナルよりも強度が弱く、健康成人の血中のＨｂＡ１ｃ濃度が６．０％未満であることが判明し、陰性であると判定することができた。
【００７７】
これに対し、糖尿病患者の検体を展開した免疫クロマトグラフィー用試験片と、上記で得られた色見本とを比較観察した結果、糖尿病患者のＨｂＡ１ｃの発色シグナルは、ＨｂＡ０の発色シグナルよりも強度が強く、色見本における７．０％に相当することが判明し、陽性であると判定することができた。
【符号の説明】
【００７８】
１  免疫クロマト分析キット
１１  プラスチック製粘着シート
１２  サンプルパッド
１３  標識物質で標識された抗ヘモグロビン抗体含有パッド
１４  抗体固定化メンブレン
１５  吸水パッド
１６  抗ＨｂＡ１ｃ抗体が塗布された抗ＨｂＡ１ｃ抗体塗布部
１７  抗ＨｂＡ０抗体が塗布された抗ＨｂＡ０抗体塗布部
１８  コントロールとして抗ＩｇＧ抗体が塗布された抗ＩｇＧ抗体塗布部
【図１】
2015132548.tif 000007
【図２】
2015132548.tif 000008
【手続補正書】
【提出日】平成27年1月13日(2015.1.13)
【手続補正１】
【補正対象書類名】特許請求の範囲
【補正対象項目名】全文
【補正方法】変更
【補正の内容】
【特許請求の範囲】
【請求項１】
検体に含まれる被検出物質を免疫反応により発色させ、その発色シグナルを確認することで、陰性または陽性を判定する免疫クロマト分析方法であって、
前記被検出物質が、前記陰性または陽性を判定すべき第１被検出物質と、前記第１被検出物質との比率を把握して前記陰性または陽性の判定の基準とする第２被検出物質とからなり、かつ、前記第２被検出物質に対する前記第１被検出物質の濃度、または第１被検出物質と第２被検出物質との総量に対する第１被検出物質の濃度が、特定の濃度を境界として陰性または陽性と判定されるものであり、
前記判定方法が、それぞれの被検出物質を個別に発色させ、
両方の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ことを特徴とする免疫クロマト分析方法。
【請求項２】
前記第１被検出物質と特異的に反応する検出試薬の使用量を調整することにより、前記第１被検出物質および第２被検出物質の夫々の発色シグナルを同強度とすることを特徴とする請求項１に記載の免疫クロマト分析方法。
【請求項３】
検体に含まれる被検出物質を免疫反応により発色させ、その発色シグナルを確認することで、陰性または陽性を判定する請求項１または２に記載の方法を実施するための免疫クロマト分析装置であって、
前記被検出物質が、前記陰性または陽性を判定すべき第１被検出物質と、前記第１被検出物質との比率を把握して前記陰性または陽性の判定の基準とする第２被検出物質とからなり、かつ、前記第２被検出物質に対する前記第１被検出物質の濃度、または第１被検出物質と第２被検出物質との総量に対する第１被検出物質の濃度が、特定の濃度を境界として陰性または陽性と判定されるものであり、
前記判定方法が、それぞれの被検出物質を個別に発色させる手段を有し、
両方の発色シグナルが同強度となる前記第１被検出物質の濃度を前記判定の境界に設定し、
前記境界に対する前記第１被検出物質の発色シグナルの強度の強弱を確認することにより、前記第１被検出物質の陰性または陽性を判定する
ように構成したことを特徴とする免疫クロマト分析装置。
【請求項４】
請求項３に記載の免疫クロマト分析装置と、前記第１被検出物質および第２被検出物質の複数の濃度における発色シグナルの強度の度合いを確認できる発色シグナル確認装置と、を少なくとも備えてなる免疫クロマト分析キット。
【請求項５】
前記第１被検出物質および第２被検出物質の複数の濃度における発色シグナルの強度の度合いを確認できる発色シグナル確認装置が色見本であることを特徴とする請求項４に記載の免疫クロマト分析キット。